(57)【要約】      （修正有）【課題】ワークをワーク把持回転送り機構部に着脱する作業を容易となし、またワーク把持回転送り機構部に把持されたワークの加工能率を向上させるワーク支持構造を提供する。【解決手段】基礎台１の一側個所にＺ軸方向への移動可能となされた主軸６を装設し、基礎台１の他側個所に回転支持軸１０を設けてこれの上部に横向き台１２を固定し、該横向き台１２の上面に該上面上の特定横向き軸線Ｓ回りへワークを送り回転させるものとしたワーク把持回転送り機構部１３を設け、しかも前記回転支持軸１０と前記特定横向き軸線Ｓとは水平方向上で必要距離Ｌ０だけ離間させておき、ワークｗを前記ワーク把持回転送り機構部１３に着脱するときと、ワークｗを主軸６の作動により加工するときとで、前記回転支持軸１０の回転位置を変化させるように実施する。【選択図】        図２
2004195586.tif 000002
【特許請求の範囲】
【請求項１】
基礎台の水平前後方向の一側個所に少なくとも前後方向への移動可能となされた主軸を設けた工作機械において、前記基礎台の前記一側個所と対向する他側個所に縦向き回転支持軸を設けて該縦向き回転支持軸の上部に横向き台を固定し、該横向き台の上面に該上面上の特定横向き軸線回りへワークを送り回転させるものとしたワーク把持回転送り機構部を設け、しかも前記縦向き回転支持軸と前記特定横向き軸線とは水平方向上で必要距離だけ離間させておき、ワークを前記ワーク把持回転送り機構部に着脱するときと、ワークを主軸の作動により加工するときとで、前記縦向き回転支持軸の回転位置を変化させるように実施することを特徴とする工作機械におけるワーク加工効率化方法。
【請求項２】
工作機械の主軸に関連して配置された横向き台を備え、該横向き台の上面側に該横向き台上に位置決めされた特定横向き軸線回りへワークを送り回転させるためのワーク把持回転送り機構部を装設したワーク加工用治具装置において、前記横向き台の上面を前記主軸側へ向けて漸次降下するように水平面に対し１５度以上に傾斜させたことを特徴とする工作機械のワーク加工用治具装置。
【請求項３】
工作機械の主軸に関連して配置された横向き台を備え、該横向き台の上面側に該横向き台上に位置決めされた特定横向き軸線回りへワークを送り回転させるためのワーク把持回転送り機構部を装設したワーク加工用治具装置において、前記横向き台の上面を前記主軸側へ向けて漸次降下するように水平面に対し１５度以上に傾斜させてあり、且つ、該横向き台が水平な底面部と、該底面部の一端から起立された起立面部と、これら底面部と起立面部との間に位置された斜面部とを有すると共にこれら底面部、起立面部及び斜面部に囲まれた空間を備え、該空間内にワーク把持回転送り機構部用のケーブルやパイプなどの必要部材を配設されていることを特徴とする工作機械のワーク加工用治具装置。
【請求項４】
工作機械の主軸に関連して配置される特定縦向き回転支持軸と、該特定縦向き回転支持軸回りへ送り回転される横向き台とを備え、該横向き台の上面側に該横向き台上に位置決めされた特定横向き軸線回りへワークを送り回転させるためのワーク把持回転送り機構部を装設したワーク加工用治具装置において、前記縦向き回転支持軸の回転中心と前記特定横向き軸線とを水平方向上で必要距離だけ離間させると共に、前記横向き台の上面を１５度以上に傾斜させたことを特徴とする工作機械のワーク加工用治具装置。
【請求項５】
前記横向き台が水平な底面部と、該底面部の一端から起立された起立面部と、これら底面部と起立面部との間に位置された斜面部とを有すると共にこれら底面部、起立面部及び斜面部に囲まれた空間を有し、該空間内にワーク把持回転送り機構部用のケーブルやパイプなどの必要部材を配設されていることを特徴とする請求項４記載の工作機械のワーク加工用治具装置。
【請求項６】
基礎台の水平前後方向の一側個所に少なくとも前後方向への移動可能となされた主軸を装設された工作機械において、前記基礎台の前記一側個所と対向する他側個所に回転駆動可能となされた縦向き回転支持軸を設けて該縦向き回転支持軸の上部に横向き台を固定し、該横向き台の上面に該上面上の特定横向き軸線回りへワークを送り回転させるものとしたワーク把持回転送り機構部を設け、さらに前記縦向き回転支持軸と前記特定横向き軸線とは水平方向上で必要距離だけ離間させたことを特徴とする工作機械におけるワーク支持構造。
【請求項７】
前記横向き台の上面を水平面に対し１５度以上に傾斜させたことを特徴とする請求項６記載の工作機械におけるワーク支持構造。
【発明の詳細な説明】
【０００１】
【発明の属する技術分野】
本発明は、工作機械におけるワーク加工効率化方法並びに、工作機械のワーク加工用治具装置及び工作機械におけるワーク支持構造に関する。
【０００２】
【従来の技術】
基礎台の水平前後方向の一側個所に少なくとも前後方向への移動可能となされた主軸を装設された工作機械は存在している（例えば特許文献１参照）。
該工作機械において、前記主軸と関連した位置に、ワークを特定横向き軸線回りへ送り回転させるためのワーク把持回転送り機構部を設け、該ワーク把持回転送り機構部に把持させたワークを前記特定横向き軸線回りの特定角度位置へ送り回転させることによりその加工を行うことが既に実施されている（例えば特許文献２参照）。
【０００３】
このような加工を実施する場合において、ワーク把持回転送り機構部にワークを着脱するときと、ワーク把持回転送り機構部に把持させたワークを主軸の作動により加工するときとの間で何れか一方から他方へ移行するときに、ワーク把持回転送り機構部を基礎台上で移動させることは行われていない。
【０００４】
【特許文献１】
特開２００１−９６５２号公報
【０００５】
【特許文献２】
特許第３０８３７７６号公報
【０００６】
【発明が解決しようとする課題】
上記したようにワーク把持回転送り機構部を基礎台上で主軸方向へ移動させないでワークを加工する場合においては、ワーク把持回転送り機構部にワークを着脱するときに、作業者がワーク把持回転送り機構部に十分に近づくことができなかったり、ワークの着脱作業にとってワーク把持回転送り機構部と主軸が近過ぎて十分な作業スペースが確保されないことがあり、これがために、ワークが主軸に固定された刃具に接触してワークや刃具が損傷することが生じるのであり、またワーク把持回転送り機構部に把持されたワークを加工するとき、加工開始位置の主軸に固定された刃具からワークまでの距離が大きいために、主軸をワークに対し大きなストロークで変位させることが必要となって、加工能率上、不利となることがある。本発明は斯かる問題点に対処することを目的とするものである。
【０００７】
【課題を解決するための手段】
上記目的を達成するため、本願の第一の発明は、請求項１に記載したように、基礎台の水平特定方向の一側個所に少なくとも該水平特定方向への移動可能となされた主軸を設けた工作機械において、前記基礎台（ベッド１）の前記一側個所と対向する他側個所に縦向き回転支持軸を設けて該縦向き回転支持軸の上部に横向き台を固定し、該横向き台の上面に該上面上の特定横向き軸線回りへワークを送り回転させるものとしたワーク把持回転送り機構部を設け、しかも前記縦向き回転支持軸と前記特定横向き軸線とは水平方向上で必要距離だけ離間させておき、ワークを前記ワーク把持回転送り機構部に着脱するときと、ワークを主軸の作動により加工するときとで、前記縦向き回転支持軸の回転位置を変化させるように実施するのである。
【０００８】
該発明では、ワークを前記ワーク把持回転送り機構部に着脱するときは、前記横向き台は前記縦向き回転支持軸に対し前記他側へ偏倚されて、前記主軸から離れるようになり、これにより作業者は前記他側から前記ワーク把持回転送り機構部に近づきやすくなると共に、前記縦向き回転支持軸と前記主軸との間が大きくなってワーク着脱のためのスペースが拡大化されるのである。
【０００９】
一方、前記ワーク把持回転送り機構部に把持されたワークを加工するときは、前記横向き台は、前記縦向き回転支持軸に対し前記一側へ偏倚されて、前記主軸に近づくようになり、これにより加工開始位置の主軸からワークまでの距離が小さくなってワークは小さなストロークで加工されるようになる。
【００１０】
また本願の第二の発明では、請求項２に記載したように、工作機械の主軸に関連して配置された横向き台を備え、該横向き台の上面側に該横向き台上に位置決めされた特定横向き軸線回りへワークを送り回転させるためのワーク把持回転送り機構部を装設したワーク加工用治具装置において、前記横向き台の上面を前記主軸側へ向けて漸次降下するように水平面に対し１５度以上に傾斜させた構成となす。
【００１１】
このようにすれば、加工により生じた切削屑が前記横向き台の上面に落下してもそれは切削液の流動作用により自重により切削液と共に流れ落ちるものとなる。また前記ワーク把持回転送り機構部はワークを把持した状態で特定横向き軸線Ｓ回りへ送り回転させるものとなされるが、この際、特定横向き軸線Ｓと前記横向き台の上面とは予定された最大のワーク加工に必要となる距離Ｌ１だけ離間されるのであり、このような実情の下で、前記横向き台の上面が１５度以上に傾斜されていることは、特定横向き軸線Ｓと前記横向き台の上面との相互間距離Ｌ１の垂直方向成分距離を短くなし、前記ワーク把持回転送り機構部や前記横向き台に作用するワーク加工中の曲げ力Ｍ１を小さくなすように作用する。
【００１２】
この発明は次のように具体化するのがよいのであって、即ち、請求項３に記載したように、前記横向き台が水平な底面部と、該底面部の一端から起立された起立面部と、これら底面部と起立面部との間に位置された斜面部とを有すると共にこれら底面部、起立面部及び斜面部に囲まれた空間を備え、該空間内にワーク把持回転送り機構部用のケーブルやパイプなどの必要部材を配設されている構成となす。これによれば、前記横向き台の剛性がその断面係数の増大化により向上するものとなり、また前記横向き台はケーブルやパイプなどの必要部材を保護するものとなる。
【００１３】
また本願の第三の発明では、請求項４に記載したように、工作機械の主軸に関連して配置される特定縦向き回転支持軸と、該特定縦向き回転支持軸回りへ送り回転される横向き台とを備え、該横向き台の上面側に該横向き台上に位置決めされた特定横向き軸線回りへワークを送り回転させるためのワーク把持回転送り機構部を装設したワーク加工用治具装置において、前記縦向き回転支持軸の回転中心と前記特定横向き軸線とを水平方向上で必要距離だけ離間させると共に、前記横向き台の上面を水平面に対し１５度以上に傾斜させたものとなす。この発明は請求項１記載の発明を実施する際に使用されるものである。また前記横向き台の上面が１５度以上に傾斜されていることが、請求項２記載の発明におけると同様に作用するものである。
【００１４】
該発明は請求項５に記載したようになすのがよいのであって、即ち、前記横向き台が水平な底面部と、該底面部の一端から起立された起立面部と、これら底面部と起立面部との間に位置された斜面部とを有すると共にこれら底面部、起立面部及び斜面部に囲まれた空間内にワーク把持回転送り機構部用のケーブルやパイプなどの必要部材を配設したものとなす。これによれば、請求項３記載の発明の場合と同様に、前記横向き台の剛性がその断面係数の増大化により向上するものとなり、また前記横向き台はケーブルやパイプなどの必要部材を保護するものとなる。
【００１５】
また本願の第四の発明は、請求項６に記載したように、基礎台の水平前後方向の一側個所に少なくとも前後方向への移動可能となされた主軸を装設された工作機械において、前記基礎台の前記一側個所と対向する他側個所に回転駆動可能となされた縦向き回転支持軸を設けて該縦向き回転支持軸の上部に横向き台を固定し、該横向き台の上面に該上面上の特定横向き軸線回りへワークを送り回転させるものとしたワーク把持回転送り機構部を設け、さらに前記縦向き回転支持軸と前記特定横向き軸線とは水平方向上で必要距離だけ離間させたものとなす。
該発明は請求項１記載の発明の実施に使用されるものである。
【００１６】
上記発明は、請求項７に記載したように実施するのがよいのであって、即ち、前記横向き台の上面を１５度以上に傾斜させて実施するのである。このようにすれば、加工により生じた切削屑が前記横向き台の上面に落下してもそれは切削液の流動作用により自重により切削液と共に流れ落ちるものとなる。
【００１７】
【発明の実施の形態】
図１は本発明に係る工作機械の一使用状態を示すもので一部を断面で示した側面図、図２は前記一使用状態を示す平面図、図３は図６のｘ１−ｘ１部を示す図である。
これらの図において、１はベッドであり、該ベッド１上に固定形コラム２、ワーク加工用治具装置３、数値制御機構４及び油圧空圧機器５が設けてある。
【００１８】
固定形コラム２はベッド上の一側個所に固定されてあって、前後向き（Ｚ軸方向）の主軸６を回転自在に支承した筒状の主軸ハウジング７が直交三軸をなすＸ軸、Ｙ軸及びＺ軸方向への送り移動可能に装設されている。そして、主軸６の前端には刃具８が固定されている。
【００１９】
ワーク加工用治具装置３はベッド１上の他側に装設されてあって、ベッド１内方に設けられたサーボモータ９と、ベッド１上の特定位置に回転自在に支持され前記サーボモータ９で送り回転されるＺ軸方向の回転支持軸１０と、該回転支持軸１０の上部に固定された水平回転台１１と、該水平回転台１１の上面に水平状に固定された平面視方形状の横向き台１２と、該横向き台１２の上面に設けられたワーク把持回転送り機構部１３とからなっている。
【００２０】
この際、横向き台１２は図３に示すように断面形状を直角三角形状となされて、前記水平回転台１１に固定された水平状の底面部１２ａと、該底面部１２ａの一端から起立された起立面部１２ｂと、これら底面部１２ａと起立面部１２ｂとの間に位置された斜面部１２ｃとを有しており、該斜面部１２ｃの上面を水平面に対して１５度以上に傾斜させたものとなされている。図示例では斜面部１２ｃの上面は凡そ３５度程度に傾斜されている。そして底面部１２ａ、起立面部１２ｂ及び斜面部１２ｃで囲まれた個所は密閉可能な空間ａとなされている。
【００２１】
ワーク把持回転送り機構部１３は横向き台１２の一端側に固定されたワーク送り駆動部１３ａと、横向き台１２の他端側に固定されたテールストック１３ｂとからなっている。ワーク送り駆動部１３ａは、横向き台１２の斜面部１２ｃの上面に固定され側面個所にＮＣ（数値制御）テーブル１４を装設された起立支持台１５と、ＮＣテーブル１５と同心に固定され起立支持台１５上の特定横向き軸線Ｓ回りへ回転駆動されるチャック部１６と、起立支持台１５に支持され特定横向き軸線Ｓ上に位置されると共にチャック部１６の把持したワークｗの一端面の回転中心を支持するものとなされた駆動側センタ１７とを有するものとなされている。
【００２２】
この際、特定横向き軸線Ｓは回転支持軸１０からＺ軸方向へ必要距離Ｌ０だけ離間されたものとなされており、該必要距離Ｌ０はワーク把持回転送り機構部１３に対するワークｗの着脱を容易となし且つワーク把持回転送り機構部１３に把持されたワークｗの加工を能率的となすことのできる距離を言うもので、後述の説明から明らかとなる。そしてワーク駆動部１３ａとテールストック１３ｂとの間の特定横向き軸線Ｓ部分は横向き台１２の上面から距離Ｌ１（図３参照）だけ離間されているのであり、該距離Ｌ１は、予定された最大のワークｗが横向き台１２の上面上で特定横向き軸線Ｓ回りへ回転される上で必要となる特定の大きさとなされている。
【００２３】
チャック部１６はチャック本体部の半径方向へ移動可能となされワークｗを特定横向き軸線Ｓ上に把持するものとした複数の爪１６ａを有すると共にワークｗのＸ軸方向位置を位置決めするための半径面ｂを具備した２つの軸方向位置決め部材１６ｂをチャック本体部に固定されたものとなされている。
【００２４】
テールストック１３ｂは、横向き台１２の斜面部１２ｃの上面に固定された起立支持台１８と、これに装設されたＸ軸方向駆動装置１８ａと、該起立支持台１８に摺動変位自在に支持されＸ軸方向駆動装置１８ａにより押し移動されてワークｗの他端面の回転中心を支持するものとした押しセンタ１９とを有している。
【００２５】
さらに横向き台１２の空間ａ内には図３に示すようにワーク駆動部１３ａ及び前記テールストック１３ｂなどの作動に必要な部材であるケーブル２０やパイプ２１やチューブなどが配設されており、これらの部材２０、２１はベッド１上のワーク加工空間に露出しないように横向き台１２の下面から水平回転台１１の内方を経てベッド１の内方へ導かれ必要個所に接続されている。
【００２６】
上記のように構成した工作機械により、ワークｗであるクランクシャフトを加工する場合の使用例を、図４〜図６をも参照して説明する。ここに、図４は工作機械のワーク加工状態を示す側面図、図５は工作機械のワーク加工状態を示す平面図、図６はワーク把持回転送り機構部１３及び横向き台１２についての比較例を示す図である。
【００２７】
加工すべきワークｗをワーク把持回転送り機構部１３にローディングする際は、横向き台１２を図１及び図２に示すように位置させる。これにより、特定横向き軸線Ｓは回転支持軸１０に対してＺ軸方向の前側へ偏倚した状態となる。該状態の下で、作業者ｃはベッド１の前側ｆ１からワーク把持回転送り機構部１３に近寄り、手作業或いはロボットにより、駆動側センタ１７と押しセンタ１９の間にワークｗを位置させ、次にＸ軸方向駆動装置１８ａの作動により押しセンタ１９を駆動側センタ１７の側へ変位させ、ワークｗの各端面に形成されたセンタ孔のそれぞれに押しセンタ１９と駆動側センタ１７とを嵌合させてこれらセンタ１７、１９でワークｗを挟み付けると同時に軸方向位置決め部材１６ｂの半径面ｂに押し当てた状態とする。これにより駆動側センタ１７と押しセンタ１９はワークｗを特定横向き軸線Ｓ上の特定位置に支持するものとなる。この後、チャック部１６の爪１６ａを変位させて該爪１６ａでワークｗの一方の端部の軸部外周面を把持させるのであり、これによりワークｗのローディングは終了する。
【００２８】
このようなローディング作業においては、ワーク把持回転送り機構部１３が、回転支持軸１０と特定横向き軸線Ｓとが合致している場合に較べて作業者ｃの手元に近い位置に移動した状態となるのであり、従って作業者ｃがワーク把持回転送り機構部１３にワークｗを固定させる作業が的確且つ疲労少なく行われるようになるのであり、またワーク把持回転送り機構部１３が、回転支持軸１０と特定横向き軸線Ｓとが合致している場合に較べて主軸６に固定された刃具８から離れた状態となり、これによりワークｗのローディングのための刃具８からのスペースが広く確保されるため、ワークｗが不用意に刃具８などと接触する事態は生じ難くなるのである。
【００２９】
次に刃具８がワーク把持回転送り機構部１３と干渉しない高さとなるように主軸６を上昇後退変位させ、この状態の下でサーボモータ９を作動させて横向き台１２を回転支持軸１０回りへ１３６度〜２２５度送り回転させ、特定横向き軸線Ｓを図４及び図５に示すようにＸ軸方向に合致させる。これにより、特定横向き軸線Ｓは回転支持軸１０に対してＺ軸方向の後側ｆ２へ偏倚した状態となる。次に数値制御機構部４を作動させてワークｗの特定横向き軸線Ｓ回りの位相を確定させ、この後に、数値制御機構部４の作動により、主軸６を回転作動させると共に、ワークｗの特定横向き軸線Ｓ回りの位置及び主軸６の位置を制御させてワークｗを加工させる。
【００３０】
このようなワークｗの加工においては、加工開始位置の刃具８からワークｗまでの距離Ｌ３が、回転支持軸１０と特定横向き軸線Ｓとが合致されている場合に較べて短くなるため、ワークｗの加工に要する主軸６のＺ軸方向のストロークが短小化され、ワークｗ加工が能率化されるのである。
【００３１】
次にワークｗ切削中のワーク把持送り機構１３や横向き台１２についての歪みについて図３及び図６を参照して説明する。ここに、図６は比較例を示す図である。
ワークｗを切削するとき、刃具８はワークｗに押し当てられるが、この際の図３に示す刃具８の押し力をＦ１とすると、該押し力Ｆ１はワーク駆動部１３ａやテールストック１３ｂの起立支持台１５、１８の下端面に図３及び図４に示すように曲げ力Ｍ１を付与するものとなる。そして、この際の曲げ力Ｍ１は次の（１）式で表示される。
即ち、
Ｍ１＝Ｆ１×Ｌ１×ｃｏｓθ    ・・・・（１）式
【００３２】
ところで、図６に示すように、仮に横向き台１２の上面が水平面で、該水平面から特定横向き軸線Ｓまでの距離がＬ１となされている場合において、前記押し力Ｆ１が起立支持台１５、１８の下端面に付与する曲げ力Ｍ２は次の（２）式で表示される。
即ち、
Ｍ２＝Ｆ１×Ｌ１                ・・・・（２）式
【００３３】
このことから明らかなように、本発明におけるように横向き台１２の上面が傾斜されていると、起立支持台１５、１８の下端面に付与される曲げ力は横向き台１２が図６に示すような水平面である場合に較べて小さくなるのであり、その分、加工中におけるワーク把持回転送り機構部１３の歪みが小さくなるのでる。
【００３４】
また横向き台１２の断面形状は空間を有するものとなされているため、該横向き台１２は同一材料且つ同一重量でその空間の存在しない場合に較べて、その断面中心に対する極断面係数が大きいものとなってその剛性が増大され、前記曲げ力Ｍ１による捩り歪みは小さくなるのである。
【００３５】
最後にワークｗ切削中の切削屑について言及すると、ワークｗの切削中には切削屑が横向き台１２の上面に落下するが、このように落下した切削屑はその上面が１５度以上に傾斜されているため、刃具８に供給される切削液の流動に補助されて確実にベッド１上面に落下するものとなる。
本発明の実施例のように横向き台１２の上面が凡そ３５度程度に傾斜されているときは、その上面に落下した切削屑は切削液の流動の補助が存在しなくても自重のみでベッド１上面に落下し得るものとなる。
【００３６】
【発明の効果】
以上の如く構成した本発明によれば、次のような効果が得られる。
即ち、請求項１記載のものによれば、ワークｗをワーク把持回転送り機構部１３に着脱するときは、ワーク把持回転送り機構部１３が回転支持軸１０に対し作業者の位置する側に偏倚するようになるため、作業者ｃはワーク把持回転送り機構部１３に近づき易くなってワークｗのローディングを的確且つ疲労少なく行うことができ、またワーク把持回転送り機構部１３と主軸６との間が大きくなってワークｗ着脱のためのスペースが拡大化され、ワークｗのローディング作業を容易に行うことができると共にローディング中のワークｗと主軸６に固定された刃具８との不用意な接触を生じ難くなすことができる。
【００３７】
一方、ワーク把持回転送り機構部１３に把持されたワークｗを加工するときは、横向き台１２が回転支持軸１０に対し主軸６側へ偏倚するようになるため、加工開始位置の主軸６からワークｗまでの距離が小さくなって、ワークｗをＺ軸方向の小さなストロークで加工することができ、加工能率を向上させることができる。
【００３８】
請求項２記載のものによれば、横向き台１２の上面に落下した切削屑を自重により切削液と共に流下させることができ、またワーク把持回転送り機構部１３や横向き台１２に作用するワーク加工中の曲げ力Ｍ１を簡易な構造により減少させることができる。
請求項３記載のものによれば、横向き台１２の剛性を少ない材料で向上させることができ、また横向き台１２にケーブルやパイプなどの必要部材を保護させることができる。
【００３９】
請求項４に記載したものによれば、請求項１記載の発明の実施を可能となし、また請求項２記載の発明と同様な効果を得ることができる。
請求項５に記載したものによれば、請求項１〜４に記載の発明と同様な効果を得ることができる。
【００４０】
請求項６に記載したものによれば、請求項１記載の発明の実施を可能となすものである。
請求項７に記載したものによれば、請求項６記載の発明と同様な効果を得ることができ、また横向き台１２の上面に切削屑を案内するための格別な傾斜案内板などを設けないでも、切削液の流動に補助されて或いはそれに補助されることなく、横向き台１２の上面に落下した切削屑を横向き台１２の外方へ落下させることができる。
【図面の簡単な説明】
【図１】本発明に係る工作機械の一使用状態を示すもので一部を断面で示した側面図である。
【図２】前記一使用状態を示す平面図である。
【図３】図５においてワークを取り外した後のｘ１−ｘ１部を示す図である。
【図４】前記工作機械のワーク加工状態を示す側面図である。
【図５】前記工作機械のワーク加工状態を示す平面図である。
【図６】前記工作機械のワーク把持回転送り機構部や横向き台と比較するためのこれらの変形例を示す側面図である。
【符号の説明】
１  ベッド（基礎台）
６  主軸
１０  回転支持軸
１２  横向き台
１３  ワーク把持回転送り機構部
Ｌ０  距離
１２ａ  底面部
１２ｂ  起立面部
１２ｃ  斜面部
２０  ケーブル
２１  パイプ
Ｓ  特定横向き軸線
ａ  空間
ｗ  ワーク
【図１】
2004195586.tif 000003
【図２】
2004195586.tif 000004
【図３】
2004195586.tif 000005
【図４】
2004195586.tif 000006
【図５】
2004195586.tif 000007
【図６】
2004195586.tif 000008
【手続補正書】
【提出日】平成15年11月4日(2003.11.4)
【手続補正２】
【補正対象書類名】明細書
【補正対象項目名】特許請求の範囲
【補正方法】変更
【補正の内容】
【特許請求の範囲】
【請求項１】
基礎台の水平前後方向の一側個所に少なくとも前後方向への移動可能となされた主軸を設けた工作機械において、前記基礎台の前記一側個所と対向する他側個所に縦向き回転支持軸を設けると共に、該縦向き回転支持軸の上部に主軸と対峙したさい主軸側へ向けて漸次降下する一定角度の傾斜面を有する横向き台を固定し、該横向き台の上記傾斜面上にシャフトを送り回転させるものとしたシャフト把持回転送り機構部を設け、且つ前記縦向き回転支持軸と前記シャフト把持回転送り機構部の軸線とは水平方向上で必要距離だけ離間させたものとなし、シャフトを前記シャフト把持回転送り機構部に脱着するときと、主軸の前後移動で加工するときとで、前記縦向き回転支持軸を回転させて横向き台位置を変化させるように実施することを特徴とする工作機械におけるシャフト加工方法。
【請求項２】
前記縦向き回転支持軸の軸線と、同シャフト把持回転送り機構部の軸線とは、横向き台が主軸と対峙したさい、後者が主軸側へ向かって離間するように位置させてあることを特徴とする請求項１記載の工作機械におけるシャフト加工方法。
【請求項３】
上記横向き台の傾斜面を水平面に対して１５度以上に傾斜させたことを特徴とする請求項１又は２記載の工作機械におけるシャフト加工方法を実施するための加工用治具。
【請求項４】
基礎台の水平前後方向の一側個所に少なくとも前後方向への移動可能となされた主軸を設けた工作機械において、前記基礎台の前記一側個所と対向する他側個所に縦向き回転支持軸を設けると共に、該縦向き回転支持軸の上部に主軸と対峙したさい主軸側へ向けて漸次降下する一定角度の傾斜面を有する横向き台を固定し、該横向き台の上記傾斜面上にシャフトを送り回転させるものとしたシャフト把持回転送り機構部を設け、且つ前記縦向き回転支持軸と前記シャフト把持回転送り機構部の軸線とは水平方向上で必要距離だけ離間させたものとなし、シャフトを前記シャフト把持回転送り機構部に脱着するときと、主軸の前後移動で加工するときとで、前記縦向き回転支持軸を回転させて横向き台位置を変化させる構成となしたことを特徴とするシャフト加工用支持装置。
【請求項５】
上記横向き台の傾斜面を水平面に対して１５度以上に傾斜させたことを特徴とする請求項４記載のシャフト加工用支持装置。
【請求項６】
上記横向き台が水平な底面部と、該底面部の一端から起立された起立面部と、これら底面部と起立面部との間に位置された傾斜面部を有すると共に、これら底面部、起立面部及び傾斜面部に囲まれた空間を形成し、該空間内にワーク把持回転送り機構部用のケーブルやパイプなどの必要部材を配設させたことを特徴とする請求項４又は５記載のシャフト加工用支持装置。
【手続補正３】
【補正対象書類名】明細書
【補正対象項目名】０００１
【補正方法】変更
【補正の内容】
【０００１】
【発明の属する技術分野】
本発明は、工作機械におけるシャフト加工方法並びに、該方法を実施するための加工用治具及びシャフト支持装置に関する。


【手続補正４】
【補正対象書類名】明細書
【補正対象項目名】０００７
【補正方法】変更
【補正の内容】
【０００７】
【課題を解決するための手段】
上記目的を達成するため、本願の第一の発明は請求項１に記載したように、基礎台の水平前後方向の一側個所に少なくとも前後方向への移動可能となされた主軸を設けた工作機械において、前記基礎台の前記一側個所と対向する他側個所に縦向き回転支持軸を設けると共に、該縦向き回転支持軸の上部に主軸と対峙したさい主軸側へ向けて漸次降下する一定角度の傾斜面を有する横向き台を固定し、該横向き台の上記傾斜面上にシャフトを送り回転させるものとしたシャフト把持回転送り機構部を設け、且つ前記縦向き回転支持軸と前記シャフト把持回転送り機構部の軸線とは水平方向上で必要距離だけ離間させたものとなし、シャフトを前記シャフト把持回転送り機構部に脱着するときと、主軸の前後移動で加工するときとで、前記縦向き回転支持軸を回転させて横向き台位置を変化させるように実施するのである。


【手続補正５】
【補正対象書類名】明細書
【補正対象項目名】００１０
【補正方法】変更
【補正の内容】
【００１０】
また本願の第二の発明では、請求項２に記載したように、前記縦向き回転支持軸の軸線と、同シャフト把持回転送り機構部の軸線とは、横向き台が主軸と対峙したさい、後者が主軸側へ向かって離間するように位置させたものとする。
【手続補正６】
【補正対象書類名】明細書
【補正対象項目名】００１１
【補正方法】変更
【補正の内容】
【００１１】
また本願の第三の発明では、請求項３に記載したように、上記横向き台の傾斜面を水平面に対して１５度以上に傾斜させたものとする。


【手続補正７】
【補正対象書類名】明細書
【補正対象項目名】００１２
【補正方法】変更
【補正の内容】
【００１２】
また本願の第四の発明では、請求項４に記載したように、基礎台の水平前後方向の一側個所に少なくとも前後方向への移動可能となされた主軸を設けた工作機械において、前記基礎台の前記一側個所と対向する他側個所に縦向き回転支持軸を設けると共に、該縦向き回転支持軸の上部に主軸と対峙したさい主軸側へ向けて漸次降下する一定角度の傾斜面を有する横向き台を固定し、該横向き台の上記傾斜面上にシャフトを送り回転させるものとしたシャフト把持回転送り機構部を設け、且つ前記縦向き回転支持軸と前記シャフト把持回転送り機構部の軸線とは水平方向上で必要距離だけ離間させたものとなし、シャフトを前記シャフト把持回転送り機構部に脱着するときと、主軸の前後移動で加工するときとで、前記縦向き回転支持軸を回転させて横向き台位置を変化させる構成となしたシャフト加工用支持装置の構成とする。
【手続補正８】
【補正対象書類名】明細書
【補正対象項目名】００１３
【補正方法】変更
【補正の内容】
【００１３】
上記発明は、請求項５に記載したように実施するのがよいのであって、即ち、前記横向き台の上面を１５度以上に傾斜させて実施するのである。
【手続補正９】
【補正対象書類名】明細書
【補正対象項目名】００１４
【補正方法】変更
【補正の内容】
【００１４】
このようにすれば、加工により生じた切削屑が前記横向き台の上面に落下してもそれは切削液の流動作用により自重により切削液と共に流れ落ちるものとなる。
【手続補正１０】
【補正対象書類名】明細書
【補正対象項目名】００１５
【補正方法】変更
【補正の内容】
【００１５】
該発明は請求項６に記載したようになすのがよいのであって、即ち、前記横向き台が水平な底面部と、該底面部の一端から起立された起立面部と、これら底面部と起立面部との間に位置された斜面部とを有すると共にこれら底面部、起立面部及び斜面部に囲まれた空間内にワーク把持回転送り機構部用のケーブルやパイプなどの必要部材を配設したものとなす。
【手続補正１１】
【補正対象書類名】明細書
【補正対象項目名】００１６
【補正方法】変更
【補正の内容】
【００１６】
これによれば、請求項３記載の発明の場合と同様に、前記横向き台の剛性がその断面係数の増大化により向上するものとなり、また前記横向き台はケーブルやパイプなどの必要部材を保護するものとなる。
【手続補正１２】
【補正対象書類名】明細書
【補正対象項目名】００１９
【補正方法】変更
【補正の内容】
【００１９】
ワーク加工用治具装置３はベッド１上の他側に装設されてあって、ベッド１内方に設けられたサーボモータ９と、ベッド１上の特定位置に回転自在に支持され前記サーボモータ９で送り回転されるＹ軸方向縦向きの回転支持軸１０と、該回転支持軸１０の上部に固定された水平回転台１１と、該水平回転台１１の上面に水平状に固定された平面視方形状の横向き台１２と、該横向き台１２の上面に設けられたワーク把持回転送り機構部１３とからなっている。


【手続補正１３】
【補正対象書類名】明細書
【補正対象項目名】００２７
【補正方法】変更
【補正の内容】
【００２７】
加工すべきシャフトｗをワーク把持回転送り機構部１３にローディングする際は、横向き台１２を図１及び図２に示すように位置させる。これにより、特定横向き軸線Ｓは回転支持軸１０に対してＺ軸方向の前側へ偏倚した状態となる。該状態の下で、作業者ｃはベッド１の前側ｆ１からワーク把持回転送り機構部１３に近寄り、手作業或いはロボットにより、駆動側センタ１７と押しセンタ１９の間にシャフトｗを位置させ、次にＸ軸方向駆動装置１８ａの作動により押しセンタ１９を駆動側センタ１７の側へ変位させ、シャフトｗの各端面に形成されたセンタ孔のそれぞれに押しセンタ１９と駆動側センタ１７とを嵌合させてこれらセンタ１７、１９でシャフトｗを挟み付けると同時に軸方向位置決め部材１６ｂの半径面ｂに押し当てた状態とする。これにより駆動側センタ１７と押しセンタ１９はシャフトｗを特定横向き軸線Ｓ上の特定位置に支持するものとなる。この後、チャック部１６の爪１６ａを変位させて該爪１６ａでシャフトｗの一方の端部の軸部外周面を把持させるのであり、これによりシャフトｗのローディングは終了する。


【手続補正１４】
【補正対象書類名】明細書
【補正対象項目名】００２８
【補正方法】変更
【補正の内容】
【００２８】
このようなローディング作業においては、ワーク把持回転送り機構部１３が、回転支持軸１０と特定横向き軸線Ｓとが合致している場合に較べて作業者ｃの手元に近い位置に移動した状態となるのであり、従って作業者ｃがワーク把持回転送り機構部１３にシャフトｗを固定させる作業が的確且つ疲労少なく行われるようになるのであり、またワーク把持回転送り機構部１３が、回転支持軸１０と特定横向き軸線Ｓとが合致している場合に較べて主軸６に固定された刃具８から離れた状態となり、これによりシャフトｗのローディングのための刃具８からのスペースが広く確保されるため、シャフトｗが不用意に刃具８などと接触する事態は生じ難くなるのである。


【手続補正１５】
【補正対象書類名】明細書
【補正対象項目名】００２９
【補正方法】変更
【補正の内容】
【００２９】
次に刃具８がワーク把持回転送り機構部１３と干渉しない高さとなるように主軸６を上昇後退変位させ、この状態の下でサーボモータ９を作動させて横向き台１２を回転支持軸１０回りへ１３６度〜２２５度送り回転させ、特定横向き軸線Ｓを図４及び図５に示すようにＸ軸方向に合致させる。これにより、特定横向き軸線Ｓは回転支持軸１０に対してＺ軸方向の後側ｆ２へ偏倚した状態となる。次に数値制御機構部４を作動させてシャフトｗの特定横向き軸線Ｓ回りの位相を確定させ、この後に、数値制御機構部４の作動により、主軸６を回転作動させると共に、シャフトｗの特定横向き軸線Ｓ回りの位置及び主軸６の位置を制御させてシャフトｗを加工させる。


【手続補正１６】
【補正対象書類名】明細書
【補正対象項目名】００３０
【補正方法】変更
【補正の内容】
【００３０】
このようなシャフトｗの加工においては、加工開始位置の刃具８からシャフトｗまでの距離Ｌ３が、回転支持軸１０と特定横向き軸線Ｓとが合致されている場合に較べて短くなるため、シャフトｗの加工に要する主軸６のＺ軸方向のストロークが短小化され、シャフトｗ加工が能率化されるのである。


【手続補正１７】
【補正対象書類名】明細書
【補正対象項目名】００３１
【補正方法】変更
【補正の内容】
【００３１】
次にシャフトｗ切削中のワーク把持送り機構１３や横向き台１２についての歪みについて図３及び図６を参照して説明する。ここに、図６は比較例を示す図である。
シャフトｗを切削するとき、刃具８はシャフトｗに押し当てられるが、この際の図３に示す刃具８の押し力をＦ１とすると、該押し力Ｆ１はワーク駆動部１３ａやテールストック１３ｂの起立支持台１５、１８の下端面に図３及び図４に示すように曲げ力Ｍ１を付与するものとなる。そして、この際の曲げ力Ｍ１は次の（１）式で表示される。
即ち、
Ｍ１＝Ｆ１×Ｌ１×ｃｏｓθ    ・・・・（１）式


【手続補正１８】
【補正対象書類名】明細書
【補正対象項目名】００３５
【補正方法】変更
【補正の内容】
【００３５】
最後にシャフトｗ切削中の切削屑について言及すると、シャフトｗの切削中には切削屑が横向き台１２の上面に落下するが、このように落下した切削屑はその上面が１５度以上に傾斜されているため、刃具８に供給される切削液の流動に補助されて確実にベッド１上面に落下するものとなる。
本発明の実施例のように横向き台１２の上面が凡そ３５度程度に傾斜されているときは、その上面に落下した切削屑は切削液の流動の補助が存在しなくても自重のみでベッド１上面に落下し得るものとなる。


【手続補正１９】
【補正対象書類名】明細書
【補正対象項目名】００３６
【補正方法】変更
【補正の内容】
【００３６】
【発明の効果】
以上の如く構成した本発明によれば、次のような効果が得られる。
即ち、請求項１及び２に記載のものによれば、シャフトｗをワーク把持回転送り機構部１３に着脱するときは、ワーク把持回転送り機構部１３が回転支持軸１０に対し作業者の位置する側に偏倚するようになるため、作業者ｃはワーク把持回転送り機構部１３に近づき易くなってシャフトｗのローディングを的確且つ疲労少なく行うことができ、またワーク把持回転送り機構部１３と主軸６との間が大きくなってシャフトｗ着脱のためのスペースが拡大化され、シャフトｗのローディング作業を容易に行うことができると共にローディング中のシャフトｗと主軸６に固定された刃具８との不用意な接触を生じ難くなすことができる。


【手続補正２０】
【補正対象書類名】明細書
【補正対象項目名】００３８
【補正方法】変更
【補正の内容】
【００３８】
請求項３記載のものによれば、横向き台１２の上面に落下した切削屑を自重により切削液と共に流下させることができ、またワーク把持回転送り機構部１３や横向き台１２に作用するワーク加工中の曲げ力Ｍ１を簡易な構造により減少させることができる。


【手続補正２１】
【補正対象書類名】明細書
【補正対象項目名】００３９
【補正方法】変更
【補正の内容】
【００３９】
請求項４に記載したものによれば、請求項１及び２記載の発明の実施を可能となし、また請求項１及び２記載の発明と同様な効果を得ることができる。


【手続補正２２】
【補正対象書類名】明細書
【補正対象項目名】００４０
【補正方法】変更
【補正の内容】
【００４０】
請求項５に記載したものによれば、請求項３記載の発明の実施を可能となすものであり、請求項３記載の発明と同様な効果を得ることができ、また横向き台１２の上面に切削屑を案内するための格別な傾斜案内板などを設けないでも、切削液の流動に補助されて或いはそれに補助されることなく、横向き台１２の上面に落下した切削屑を横向き台１２の外方へ落下させることができる。
また請求項３記載のものによれば、横向き台１２の剛性を少ない材料で向上させることができ、また横向き台１２にケーブルやパイプなどの必要部材を保護させることができる。